【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
データを送信する送信手段と、
前記送信手段によるデータの送信に際し、データと共に送信される送信元アドレスを、送信されるデータの取得先に応じて設定するアドレス設定手段と、
を備えたことを特徴とするデータ送信装置。
【請求項２】
原稿の画像を読み取る原稿読取手段を備え、
前記送信されるデータの取得先は前記原稿読取手段を含む請求項１に記載のデータ送信装置。
【請求項３】
１個または複数個のデータ格納領域が設定された格納手段を備え、
前記送信されるデータの取得先は前記格納手段を含む請求項１または２に記載のデータ送信装置。
【請求項４】
送信されるデータの取得先が前記原稿読取手段である場合には、前記アドレス設定手段は、送信元アドレスとして操作者のアドレスを設定する請求項２または３に記載のデータ送信装置。
【請求項５】
前記送信手段によるデータの送信に際し、前記アドレス設定手段により設定された前記送信元アドレスを表示する表示手段をさらに備えている請求項４に記載のデータ送信装置。
【請求項６】
前記操作者は認証された操作者である請求項４または５に記載のデータ送信装置。
【請求項７】
データを送信する送信手段と、
原稿の画像を読み取る原稿読取手段と、
１個または複数個のデータ格納領域が設定された格納手段と、
送信されるデータの取得先が前記原稿読取手段である場合には、前記送信手段によるデータの送信に際し、データと共に送信される送信元アドレスとして第１のアドレスを設定し、前記送信されるデータの取得先が前記格納手段である場合には、前記送信手段によるデータの送信に際し、データと共に送信される送信元アドレスとして前記第１のアドレスとは異なる第２のアドレスを設定するアドレス設定手段と、
を備えたことを特徴とするデータ送信装置。
【請求項８】
前記アドレス設定手段は、送信されるデータの取得先が前記原稿読取手段である場合には、前記送信手段によるデータの送信に際し、データと共に送信される送信元アドレスとして設定された前記第１のアドレスの変更を許可し又は禁止する設定を可能とする請求項７に記載のデータ送信装置。
【請求項９】
前記データ送信装置は、複数の機能を有する多機能画像形成装置である請求項１ないし８のいずれかに記載のデータ送信装置。
【請求項１０】
データを送信する送信ステップと、
前記送信ステップにおけるデータの送信に際し、データと共に送信される送信元アドレスを、送信されるデータの取得先に応じて設定するアドレス設定ステップと、
を備えたことを特徴とするデータ送信装置における送信元アドレスの設定方法。
【請求項１１】
前記データ送信装置は原稿の画像を読み取る原稿読取手段を備え、
前記送信されるデータの取得先は前記原稿読取手段を含む請求項１０に記載のデータ送信装置における送信元アドレスの設定方法。
【請求項１２】
前記データ送信装置は１個または複数個のデータ格納領域が設定された格納手段を備え、
前記送信されるデータの取得先は前記格納手段を含む請求項１０または１１に記載のデータ送信装置における送信元アドレスの設定方法。
【請求項１３】
送信されるデータの取得先が前記原稿読取手段である場合には、前記アドレス設定ステップでは、送信元アドレスとして操作者のアドレスを設定する請求項１１または１２に記載のデータ送信装置における送信元アドレスの設定方法。
【請求項１４】
前記送信ステップにおけるデータの送信に際し、前記アドレス設定ステップにおいて設定された前記送信元アドレスを表示手段に表示するステップをさらに備えている請求項１３に記載のデータ送信装置における送信元アドレスの設定方法。
【請求項１５】
前記操作者は認証された操作者である請求項１３または１４に記載のデータ送信装置における送信元アドレスの設定方法。
【請求項１６】
データを送信する送信ステップと、
送信されるデータの取得先が原稿の画像を読み取る原稿読取手段である場合には、前記送信ステップにおけるデータの送信に際し、データと共に送信される送信元アドレスとして第１のアドレスを設定し、前記送信されるデータの取得先が１個または複数個のデータ格納領域が設定された格納手段である場合には、前記送信手段によるデータの送信に際し、データと共に送信される送信元アドレスとして前記第１のアドレスとは異なる第２のアドレスを設定するアドレス設定ステップと、
を備えたことを特徴とするデータ送信装置における送信元アドレスの設定方法。
【請求項１７】
前記アドレス設定ステップでは、送信されるデータの取得先が前記原稿読取手段である場合には、前記送信手段によるデータの送信に際し、データと共に送信される送信元アドレスとして設定された前記第１のアドレスの変更を許可し又は禁止する設定を可能とする請求項１６に記載のデータ送信装置における送信元アドレスの設定方法。
【請求項１８】
前記データ送信装置は、複数の機能を有する多機能画像形成装置である請求項１０ないし１７のいずれかに記載のデータ送信装置における送信元アドレスの設定方法。
【請求項１９】
データを送信する送信ステップと、
前記送信ステップにおけるデータの送信に際し、データと共に送信される送信元アドレスを、送信されるデータの取得先に応じて設定するアドレス設定ステップと、
をデータ送信装置のコンピュータに実行させるための送信元アドレスの設定プログラム。
【請求項２０】
前記データ送信装置は原稿の画像を読み取る原稿読取手段を備え、
前記送信されるデータの取得先は前記原稿読取手段を含む請求項１９に記載の送信元アドレスの設定プログラム。
【請求項２１】
前記データ送信装置は１個または複数個のデータ格納領域が設定された格納手段を備え、
前記送信されるデータの取得先は前記格納手段を含む請求項１９または２０に記載の送信元アドレスの設定プログラム。
【請求項２２】
送信されるデータの取得先が前記原稿読取手段である場合には、前記アドレス設定ステップでは、送信元アドレスとして操作者のアドレスを設定する処理をコンピュータに実行させる請求項２０または２１に記載の送信元アドレスの設定プログラム。
【請求項２３】
前記送信ステップにおけるデータの送信に際し、前記アドレス設定ステップにおいて設定された前記送信元アドレスを表示手段に表示するステップを、さらにコンピュータに実行させる請求項２２に記載の送信元アドレスの設定プログラム。
【請求項２４】
前記操作者は認証された操作者である請求項２２または２３に記載の送信元アドレスの設定プログラム。
【請求項２５】
データを送信する送信ステップと、
送信されるデータの取得先が原稿の画像を読み取る原稿読取手段である場合には、前記送信ステップにおけるデータの送信に際し、データと共に送信される送信元アドレスとして第１のアドレスを設定し、前記送信されるデータの取得先が１個または複数個のデータ格納領域が設定された格納手段である場合には、前記送信手段によるデータの送信に際し、データと共に送信される送信元アドレスとして前記第１のアドレスとは異なる第２のアドレスを設定するアドレス設定ステップと、
をデータ送信装置のコンピュータに実行させるための送信元アドレスの設定プログラム。
【請求項２６】
前記アドレス設定ステップでは、送信されるデータの取得先が前記原稿読取手段である場合には、前記送信手段によるデータの送信に際し、データと共に送信される送信元アドレスとして設定された前記第１のアドレスの変更を許可し又は禁止する設定を可能とする処理をコンピュータに実行させる請求項２５に記載の送信元アドレスの設定プログラム。
【請求項２７】
前記データ送信装置は、複数の機能を有する多機能画像形成装置である請求項１９ないし２６のいずれかに記載の送信元アドレスの設定プログラム。
【手続補正２】
【補正対象書類名】明細書
【補正対象項目名】発明の名称
【補正方法】変更
【補正の内容】
【発明の名称】データ送信装置、同装置における送信元アドレスの設定方法及び送信元アドレスの設定プログラム
【手続補正３】
【補正対象書類名】明細書
【補正対象項目名】０００１
【補正方法】変更
【補正の内容】
【０００１】
この発明は、画像や文書等のデータを電子メール、ファクシミリ、インターネットファクシミリ等の送信手段により送信するとともに、送信に際して送信元アドレスを自動的に設定するデータ送信装置、同装置における送信元アドレスの設定方法及び送信元アドレスの設定プログラムに関する。
【手続補正４】
【補正対象書類名】明細書
【補正対象項目名】０００８
【補正方法】変更
【補正の内容】
【０００８】
この発明は、このような技術的背景に鑑みてなされたものであって、送信データの取得先に応じた送信元アドレスの設定を可能としたデータ送信装置、同装置における送信元アドレスの設定方法及び送信元アドレスの設定プログラムの提供を課題とする。
【手続補正５】
【補正対象書類名】明細書
【補正対象項目名】０００９
【補正方法】変更
【補正の内容】
【０００９】
上記課題は、以下の手段によって解決される。
（１）データを送信する送信手段と、前記送信手段によるデータの送信に際し、データと共に送信される送信元アドレスを、送信されるデータの取得先に応じて設定するアドレス設定手段と、を備えたことを特徴とするデータ送信装置。
（２）原稿の画像を読み取る原稿読取手段を備え、前記送信されるデータの取得先は前記原稿読取手段を含む前項１に記載のデータ送信装置。
（３）１個または複数個のデータ格納領域が設定された格納手段を備え、前記送信されるデータの取得先は前記格納手段を含む前項１または２に記載のデータ送信装置。
（４）送信されるデータの取得先が前記原稿読取手段である場合には、前記アドレス設定手段は、送信元アドレスとして操作者のアドレスを設定する前項２または３に記載のデータ送信装置。
（５）前記送信手段によるデータの送信に際し、前記アドレス設定手段により設定された前記送信元アドレスを表示する表示手段をさらに備えている前項４に記載のデータ送信装置。
（６）前記操作者は認証された操作者である前項４または５に記載のデータ送信装置。
（７）データを送信する送信手段と、原稿の画像を読み取る原稿読取手段と、１個または複数個のデータ格納領域が設定された格納手段と、送信されるデータの取得先が前記原稿読取手段である場合には、前記送信手段によるデータの送信に際し、データと共に送信される送信元アドレスとして第１のアドレスを設定し、前記送信されるデータの取得先が前記格納手段である場合には、前記送信手段によるデータの送信に際し、データと共に送信される送信元アドレスとして前記第１のアドレスとは異なる第２のアドレスを設定するアドレス設定手段と、を備えたことを特徴とするデータ送信装置。
（８）前記アドレス設定手段は、送信されるデータの取得先が前記原稿読取手段である場合には、前記送信手段によるデータの送信に際し、データと共に送信される送信元アドレスとして設定された前記第１のアドレスの変更を許可し又は禁止する設定を可能とする前項７に記載のデータ送信装置。
（９）前記データ送信装置は、複数の機能を有する多機能画像形成装置である前項１ないし８のいずれかに記載のデータ送信装置。
（１０）データを送信する送信ステップと、前記送信ステップにおけるデータの送信に際し、データと共に送信される送信元アドレスを、送信されるデータの取得先に応じて設定するアドレス設定ステップと、を備えたことを特徴とするデータ送信装置における送信元アドレスの設定方法。
（１１）前記データ送信装置は原稿の画像を読み取る原稿読取手段を備え、前記送信されるデータの取得先は前記原稿読取手段を含む前項１０に記載のデータ送信装置における送信元アドレスの設定方法。
（１２）前記データ送信装置は１個または複数個のデータ格納領域が設定された格納手段を備え、前記送信されるデータの取得先は前記格納手段を含む前項１０または１１に記載のデータ送信装置における送信元アドレスの設定方法。
（１３）送信されるデータの取得先が前記原稿読取手段である場合には、前記アドレス設定ステップでは、送信元アドレスとして操作者のアドレスを設定する前項１１または１２に記載のデータ送信装置における送信元アドレスの設定方法。
（１４）前記送信ステップにおけるデータの送信に際し、前記アドレス設定ステップにおいて設定された前記送信元アドレスを表示手段に表示するステップをさらに備えている前項１３に記載のデータ送信装置における送信元アドレスの設定方法。
（１５）前記操作者は認証された操作者である前項１３または１４に記載のデータ送信装置における送信元アドレスの設定方法。
（１６）データを送信する送信ステップと、送信されるデータの取得先が原稿の画像を読み取る原稿読取手段である場合には、前記送信ステップにおけるデータの送信に際し、データと共に送信される送信元アドレスとして第１のアドレスを設定し、前記送信されるデータの取得先が１個または複数個のデータ格納領域が設定された格納手段である場合には、前記送信手段によるデータの送信に際し、データと共に送信される送信元アドレスとして前記第１のアドレスとは異なる第２のアドレスを設定するアドレス設定ステップと、を備えたことを特徴とするデータ送信装置における送信元アドレスの設定方法。
（１７）前記アドレス設定ステップでは、送信されるデータの取得先が前記原稿読取手段である場合には、前記送信手段によるデータの送信に際し、データと共に送信される送信元アドレスとして設定された前記第１のアドレスの変更を許可し又は禁止する設定を可能とする前項１６に記載のデータ送信装置における送信元アドレスの設定方法。
（１８）前記データ送信装置は、複数の機能を有する多機能画像形成装置である前項１０ないし１７のいずれかに記載のデータ送信装置における送信元アドレスの設定方法。
（１９）データを送信する送信ステップと、前記送信ステップにおけるデータの送信に際し、データと共に送信される送信元アドレスを、送信されるデータの取得先に応じて設定するアドレス設定ステップと、をデータ送信装置のコンピュータに実行させるための送信元アドレスの設定プログラム。
（２０）前記データ送信装置は原稿の画像を読み取る原稿読取手段を備え、前記送信されるデータの取得先は前記原稿読取手段を含む前項１９に記載の送信元アドレスの設定プログラム。
（２１）前記データ送信装置は１個または複数個のデータ格納領域が設定された格納手段を備え、前記送信されるデータの取得先は前記格納手段を含む前項１９または２０に記載の送信元アドレスの設定プログラム。
（２２）送信されるデータの取得先が前記原稿読取手段である場合には、前記アドレス設定ステップでは、送信元アドレスとして操作者のアドレスを設定する処理をコンピュータに実行させる前項２０または２１に記載の送信元アドレスの設定プログラム。
（２３）前記送信ステップにおけるデータの送信に際し、前記アドレス設定ステップにおいて設定された前記送信元アドレスを表示手段に表示するステップを、さらにコンピュータに実行させる前項２２に記載の送信元アドレスの設定プログラム。
（２４）前記操作者は認証された操作者である前項２２または２３に記載の送信元アドレスの設定プログラム。
（２５）データを送信する送信ステップと、送信されるデータの取得先が原稿の画像を読み取る原稿読取手段である場合には、前記送信ステップにおけるデータの送信に際し、データと共に送信される送信元アドレスとして第１のアドレスを設定し、前記送信されるデータの取得先が１個または複数個のデータ格納領域が設定された格納手段である場合には、前記送信手段によるデータの送信に際し、データと共に送信される送信元アドレスとして前記第１のアドレスとは異なる第２のアドレスを設定するアドレス設定ステップと、をデータ送信装置のコンピュータに実行させるための送信元アドレスの設定プログラム。
（２６）前記アドレス設定ステップでは、送信されるデータの取得先が前記原稿読取手段である場合には、前記送信手段によるデータの送信に際し、データと共に送信される送信元アドレスとして設定された前記第１のアドレスの変更を許可し又は禁止する設定を可能とする処理をコンピュータに実行させる前項２５に記載の送信元アドレスの設定プログラム。
（２７）前記データ送信装置は、複数の機能を有する多機能画像形成装置である前項１９ないし２６のいずれかに記載の送信元アドレスの設定プログラム。